(57)【要約】【課題】通信対象となるデータのデータサイズに応じた効率的な無線チャネルの割り当て方法及び移動機装置を提供すること。【解決手段】  本発明の一特徴は、通信対象のデータのデータサイズを決定するステップと、前記決定されたデータサイズに対応する要求無線チャネルを選択するステップと、前記要求無線チャネルと使用可能無線チャネルとを比較し、前記要求無線チャネルと前記使用可能無線チャネルとから選択された無線チャネルを割り当てるステップと、を有する方法に関する。【選択図】図１
2010273300.tif 000002
【特許請求の範囲】
【請求項１】
通信対象のデータのデータサイズを決定するステップと、
前記決定されたデータサイズに対応する要求無線チャネルを選択するステップと、
前記要求無線チャネルと使用可能無線チャネルとを比較し、前記要求無線チャネルと前記使用可能無線チャネルとから選択された無線チャネルを割り当てるステップと、
を有する方法。
【請求項２】
通信終了指示を受け付けるステップをさらに有し、
前記通信終了指示を受け付けると、
前記データサイズを決定するステップは、通信終了を示す所定の値に前記データサイズを決定し、
前記要求無線チャネルを選択するステップは、前記所定のデータサイズに対して要求無線チャネルがないと決定し、
前記無線チャネルを割り当てるステップは、前記要求無線チャネルがないという決定に対して、現在割り当てられている無線チャネルを解放する、請求項１記載の方法。
【請求項３】
前記要求無線チャネルを選択するステップは、前記通信対象のデータの各データサイズと要求無線チャネルとを関連付けした要求無線チャネル選択テーブルを参照して、前記決定されたデータサイズに対応する要求無線チャネルを選択する、請求項１記載の方法。
【請求項４】
通信中に前記使用可能無線チャネルの変更を検出するステップをさらに有し、
前記使用可能無線チャネルの変更を検出すると、前記無線チャネルを割り当てるステップは、現在割り当てられている無線チャネルが使用可能か判断し、使用不可である場合、前記要求無線チャネルと変更後の使用可能無線チャネルとを比較し、前記要求無線チャネルと前記変更後の使用可能無線チャネルとから選択された無線チャネルを割り当てる、請求項１記載の方法。
【請求項５】
通信対象のデータのデータサイズを決定するデータサイズ決定部と、
前記決定されたデータサイズに対応する要求無線チャネルを選択する無線チャネル選択部と、
前記要求無線チャネルと使用可能無線チャネルとを比較し、前記要求無線チャネルと前記使用可能無線チャネルとから選択された無線チャネルを割り当てる無線チャネル割当部と、
を有する移動機装置。
【発明の詳細な説明】
【技術分野】
【０００１】
本発明は、送受信するデータのデータサイズに基づいて無線チャネルを割り当てる方法及び移動機装置に関する。
【背景技術】
【０００２】
携帯電話におけるアプリケーションについては、iアプリオンラインと呼ばれるリアルタイム通信を行うものや、2MB（Mega Byte）程度の大容量のデータを添付可能なメールソフトや、フルブラウザと呼ばれるPC（Personal Computer）向けの大容量のWebページを閲覧可能なものがあり、また、メガiアプリと呼ばれる1MBを超える容量のプログラムを受信して、携帯電話において使用することもある。これらのアプリケーションを使用するためには、大容量のデータを通信することが必要となる。
【０００３】
また、上記のような大容量のデータを通信するアプリケーションの登場の背景として、大容量のデータを通信可能な無線チャネルを提供する通信システムの構築が行われてきた。具体的には、HSDPA（High Speed Downlink Packet Access）と呼ばれる1秒間に最大14.4Mbitのデータを受信可能な通信システムや、HSUPA（High Speed Uplink Packet Access）と呼ばれる1秒間に最大5.7Mbitのデータを送信可能な通信システムがある。
【先行技術文献】
【特許文献】
【０００４】
【特許文献１】特開２００５?３１１８７１
【特許文献２】ＷＯ２００５／１０７３１１
【発明の概要】
【発明が解決しようとする課題】
【０００５】
従来の通信システムでは、無線チャネルの割当ては、典型的には送受信データのバッファ占有状況と移動機における各無線チャネルの受信電力レベルとの何れかに基づき決定されている。
【０００６】
送受信データのバッファ占有状況に基づき無線チャネルを割り当てる通信システムにおいては、無線チャネルを割り当てる際に、論理チャネルのバッファ占有状況に応じた制御を行っている。これは、バッファ占有量がある閾値よりも大きい場合には、より大容量のデータを通信可能な無線チャネルを割り当てるという制御を行っている。言い換えれば、バッファ占有量がある閾値よりも大きくならない限り、より大容量のデータを通信可能な無線チャネルの割り当ては行われない。
【０００７】
一方、携帯電話におけるアプリケーションの中には大容量のデータの通信を必要とするものもあり、こういったアプリケーションを使用するときには大容量のデータを通信可能な無線チャネルを割り当てることが望ましい。しかし、上記にもあるように無線チャネルの制御はバッファの占有状況に応じて行われており、アプリケーションが必要とするデータ量に応じて行われていない。したがって、アプリケーションに対して十分な通信容量の無線チャネルが即時に、あるいは、長時間割り当てられない可能性がある。これは、アプリケーションが必要とするデータを受信する時間の長期化につながるため、結果として、アプリケーションの円滑な使用が妨げられることになる。
【０００８】
他方、移動機における受信電力レベルに基づき無線チャネルを割り当てる通信システムでは、現在通信している無線チャネルの受信電力レベルが劣化し、より良好な他の無線チャネルの受信電力レベルが検出されると、現在通信している無線チャネルは、この良好な無線チャネルに変更される。しかしながら、この変更後の無線チャネルは変更前の無線チャネルより容量が小さいチャネルであるかもしれない。この場合、移動機では現在通信中の無線チャネルが通信可能な受信電力レベルであっても、通信速度に関係なく無線チャネルが変更されてしまうことになり、通信環境によっては急激に通信速度が低下する可能性がある。
【０００９】
本発明の課題は、上記問題点を鑑み、通信対象となるデータのデータサイズに応じた効率的な無線チャネルの割り当て方法及び移動機装置を提供することである。
【課題を解決するための手段】
【００１０】
上記課題を解決するため、本発明の一特徴は、通信対象のデータのデータサイズを決定するステップと、前記決定されたデータサイズに対応する要求無線チャネルを選択するステップと、前記要求無線チャネルと使用可能無線チャネルとを比較し、前記要求無線チャネルと前記使用可能無線チャネルとから選択された無線チャネルを割り当てるステップと、を有する方法に関する。
【発明の効果】
【００１１】
本発明によると、通信対象となるデータのデータサイズに応じて効率的に無線チャネルを割り当てることが可能となる。
【図面の簡単な説明】
【００１２】
【図１】図１は、一実施例による移動機装置の一例となる構成を示す。
【図２】図２は、一実施例による要求無線チャネル選択テーブルを示す。
【図３】図３は、一実施例による使用可能無線チャネルテーブルを示す。
【図４】図４は、一実施例によるデータ送信処理を示すシーケンス図である。
【図５】図５は、一実施例によるデータ受信処理を示すシーケンス図である。
【図６】図６は、一実施例による通信終了処理を示すシーケンス図である。
【図７】図７は、一実施例による無線チャネルの割当処理を示すフロー図である。
【図８】図８は、一実施例による無線チャネルの動的変更処理を示すフロー図である。
【発明を実施するための形態】
【００１３】
以下、図面に基づいて本発明の実施の形態を説明する。
【００１４】
図１は、一実施例による移動機装置の一例となる構成を示す。移動機装置１０は、データサイズ決定部１１と、無線チャネル選択部１２と、要求無線チャネル選択テーブル１３と、無線チャネル割当部１４と、使用可能無線チャネルテーブル１５とを有する。
【００１５】
ユーザがアプリケーションなどを使用してデータを送受信することを入出力手段などのユーザインタフェース（図示せず）を介し移動機装置１０に要求すると、データサイズ決定部１１は、通信対象のデータのデータサイズを算出し、算出したデータサイズを無線チャネル選択部１２に通知する。具体的には、移動機装置１０から基地局にデータを送信する場合、データサイズ決定部１１は、移動機装置１０から送信されるデータのデータサイズを算出する。他方、基地局（図示せず）及び／又はその上位のネットワーク装置（図示せず）などを有する無線ネットワーク（ＮＷ）から移動機装置１０においてデータを受信する場合、データサイズ決定部１１は、受信対象となるデータのデータサイズを基地局又はネットワーク装置から取得する。
【００１６】
無線チャネル選択部１２は、データサイズ決定部１１から通信対象のデータのデータサイズを受け付けると、典型的には、移動機装置１０の記憶部（図示せず）に格納されている要求無線チャネル選択テーブル１３を参照して、受け付けたデータサイズに対応する要求無線チャネルを選択する。その後、無線チャネル選択部１２は、無線チャネル割当部１４に選択した要求無線チャネルを通知する。ここで、無線チャネル選択部１２は、複数の要求無線チャネルを通知してもよい。また、後述されるように通信終了処理では、無線チャネル選択部１２は、通信終了処理を示すため、要求無線チャネルがないことを通知してもよい。しなしながら、本発明はこれに限定されるものでなく、通信終了処理を示す何れか適当な通知がなされてもよい。
【００１７】
要求無線チャネル選択テーブル１３は、典型的には、移動機装置１０の記憶部（図示せず）に格納され、送受信されるデータのデータサイズと、所定の通信時間内で当該データサイズのデータの送受信を完了させることが可能な要求無線チャネルとを関連付けるためのテーブルである。この所定の通信時間は、ユーザにより設定されてもよいし、又は所定のデフォルト値に設定されてもよい。要求無線チャネルは、典型的には、無線チャネルの通信速度をＲ、データサイズをＳ及び所定の通信時間をＴとしたとき、Ｓ／Ｒ＜Ｔを満たすような通信レートの無線チャネルである。
【００１８】
本実施例では、説明の簡単化のため、送信データと受信データについて単一の要求無線チャネル選択テーブル１３が使用されている。しかしながら、他の実施例では、送信データと受信データについて、異なる要求無線チャネル選択テーブル１３が使用されてもよい。実際には、送信チャネル（アップリンクチャネル）と受信チャネル（ダウンリンクチャネル）とは通信レートが異なるため、それぞれ個別の要求無線チャネル選択テーブル１３が使用されてもよい。
【００１９】
無線チャネル割当部１４は、無線チャネル選択部１２から選択された要求無線チャネルを受け付けると、典型的には、移動機装置の１０の記憶部に格納されている使用可能無線チャネルテーブル１５を参照して、選択された要求無線チャネルに対応した使用可能無線チャネルを割り当てる。
【００２０】
具体的には、無線チャネル選択部１２から１以上の要求無線チャネルが通知されると、無線チャネル割当部１４は、典型的には、移動機装置１０の記憶部（図示せず）に格納されている使用可能無線チャネルテーブル１５を参照して、これら１以上の要求無線チャネルが使用可能であるか判断する。１以上の要求無線チャネルが使用可能である場合、無線チャネル割当部１４は、使用可能な要求無線チャネルのうち最も高速に通信可能な無線チャネルを割り当てる。他方、通知された要求無線チャネルの何れも使用可能でない場合、無線チャネル割当部１４は、使用可能無線チャネルテーブル１５に示された使用可能な無線チャネルのうちで最も高速に通信可能な無線チャネルを割り当てる。
【００２１】
要求無線チャネルの何れもが使用不可である場合、典型的には、割り当てられた使用可能無線チャネルは要求無線チャネルよりも低速であると想定されるため、要求されたデータの送受信は所定の通信時間内に完了しないかもしれない。従って、この割り当てられた無線チャネルにより移動機装置１０が通信を継続した場合には、ユーザは許容できない遅延を被る可能性がある。このような事態を回避するため、無線チャネル割当部１４は、要求無線チャネルが使用不可であって、割り当てられた無線チャネルによる通信では所定の通信時間内に通信が完了しない可能性がある場合、ユーザにデータの送受信が所定の通信時間内に完了しないことを通知してもよい。さらに、この通知と共に、無線チャネル割当部１４は、予想される所要時間を併せて通知するようにしてもよい。なお、この予想される通信時間は、割り当てられた無線チャネルと通信対象データのデータサイズとに基づき算出可能である。この通知後、ユーザが当該通信を継続すると決定し、ユーザインタフェースを介しその旨を移動機装置１０に通知した場合、移動機装置１０は、無線チャネル割当部１４により割り当てられた無線チャネルによりデータを送受信する。他方、ユーザが当該通信を終了すると決定し、ユーザインタフェースを介しその旨を移動機装置１０に通知した場合、無線チャネル割当部１４は割り当てた無線チャネルを解放し、通信を終了する。
【００２２】
使用可能無線チャネルテーブル１５は、典型的には、移動機装置１０の記憶部（図示せず）に格納され、現在使用可能な無線チャネルをリスト化したものである。この使用可能な無線チャネルは、典型的には、移動機装置１０が在圏する基地局（図示せず）から通知されるかもしれない。使用可能無線チャネルテーブル１５は、通信状態の変動などに基づき可変的に構成される。従って、無線チャネル割当部１４は、通信開始時の無線チャネル割当処理後、定期的に使用可能無線チャネルテーブル１５を参照して、使用可能無線チャネルテーブル１５の変更を検出するようにしてもよい。
【００２３】
本実施例では、説明の簡単化のため、送信データと受信データについて単一の使用可能無線チャネルテーブル１５が使用される。しかしながら、他の実施例では、送信データと受信データについて、それぞれ個別の使用可能無線チャネルテーブル１５が使用されてもよい。実際には、送信チャネル（アップリンクチャネル）と受信チャネル（ダウンリンクチャネル）とは通信レートが異なるため、個別の使用可能無線チャネルテーブル１５が使用されてもよい。
【００２４】
図２は、一実施例による要求無線チャネル選択テーブルを示す。図２に示されるように、要求無線チャネル選択テーブル１３は、通信対象のデータの各データサイズ"０"，"Ｓ＿１未満"，"Ｓ＿１〜Ｓ＿２"，"Ｓ＿２〜Ｓ＿３"，...，"Ｓ＿（ｎ−１）〜Ｓ＿ｎ"に対して、所定の通信時間の閾値以内で当該データの送受信を完了させることが可能な要求無線チャネルを規定したものである。図示された要求無線チャネル選択テーブルでは、例えば、データサイズ決定部１１から通知された通信対象のデータのデータサイズが"Ｓ＿１未満"である場合、所定の通信時間内で当該データサイズのデータの送受信を完了させることが可能な無線チャネルは"ＣＨ＿１"と規定されている。また、データサイズ決定部１１から通知された送受信データのデータサイズが"Ｓ＿２〜Ｓ＿３"である場合、所定の通信時間内で当該データサイズのデータの送受信を完了させることが可能な要求無線チャネルは"ＣＨ＿２以上"、すなわち、ＣＨ＿２，ＣＨ＿３，...の何れかであると規定されている。ここで、ＣＨ＿１，ＣＨ＿２，...，ＣＨ＿ｉ，...は、整数ｉが増加するとＣＨ＿ｉの通信レートが増大するよう定義されている。従って、データサイズが"Ｓ＿２〜Ｓ＿３"であるデータがＣＨ＿２又はＣＨ＿２より高速の通信レートを有する無線チャネルＣＨ＿３，ＣＨ＿４，...を使用して送受信される場合、所定の通信時間内で当該データを送受信することが可能となる。
【００２５】
なお、図示された要求無線チャネル選択テーブル１３において、データサイズ"０"はユーザが通信を終了することを移動機装置１０に指示したケースに該当する。この場合、要求無線チャネルは"無"に関連付けされ、無線チャネル選択部１２は、要求無線チャネルはないと無線チャネル割当部１４に通知する。当該通知に応答して、無線チャネル割当部１４は、割り当てられている無線チャネルを解放し、通信を終了する。図示された実施例では、通信終了を示すデータサイズとして"０"が使用されているが、本発明はこれに限定されるものでなく、通信終了を示す何れか所定の値が利用されてもよい。同様に、通信終了を示す要求無線チャネルとして"無"が使用されているが、本発明はこれに限定されるものでなく、通信終了を示す何れか所定の表示が使用されてもよい。
【００２６】
図３は、一実施例による使用可能無線チャネルテーブルを示す。図３に示される使用可能無線チャネルテーブルでは、無線チャネル選択部１２により選択された要求無線チャネルがＣＨ＿２以上であり、かつ現在使用可能な無線チャネルがＣＨ＿１，ＣＨ＿２，ＣＨ＿３であるケースが示されている。無線チャネル割当部１４は、上述したように、無線チャネル選択部１２から選択された要求無線チャネルＣＨ＿２以上を受け付けると、使用可能無線チャネルテーブル１５を参照して、要求無線チャネルＣＨ＿２以上のうち使用可能無線チャネルに該当するものがあるか判断する。図示された実施例では、要求無線チャネルＣＨ＿２，ＣＨ＿３が使用可能であるため、無線チャネル割当部１４は、要求無線チャネルＣＨ＿２，ＣＨ＿３のうちでより高速な通信が可能なＣＨ＿３を割り当てる。
【００２７】
次に、図４を参照して、一実施例による移動機装置１０のデータ送信処理が説明される。図４は、一実施例によるデータ送信処理を示すシーケンス図である。
【００２８】
Ｓ１１において、移動機装置１０のユーザからユーザインタフェース（図示せず）を介し何れかのアプリケーションを使用してデータを送信するよう指示されると、当該データ送信処理が開始される。
【００２９】
Ｓ１２において、データサイズ決定部１１は、送信対象のデータのデータサイズを決定し、無線チャネル選択部１２に決定したデータサイズを通知する。
【００３０】
Ｓ１３において、データサイズ決定部１１から送信対象のデータのデータサイズを通知されると、無線チャネル選択部１２は、移動機装置１０の記憶部（図示せず）に格納されている要求無線チャネル選択テーブル１３を参照する。
【００３１】
Ｓ１４において、無線チャネル選択部１２は、要求無線チャネル選択テーブル１３を参照して、通知されたデータサイズに関連付けされている要求無線チャネルを決定し、決定した要求無線チャネルを無線チャネル割当部１４に通知する。
【００３２】
Ｓ１５において、無線チャネル選択部１２から要求無線チャネルを通知されると、無線チャネル割当部１４は、移動機装置１０の記憶部（図示せず）に格納されている使用可能無線チャネルテーブル１５を参照する。
【００３３】
Ｓ１６において、無線チャネル割当部１４は、上述したように、使用可能無線チャネルテーブル１５を参照して、通知された要求無線チャネルに対応する無線チャネルを決定及び割り当てる。具体的には、無線チャネル割当部１４は、使用可能無線チャネルテーブル１５を参照して、通知された要求無線チャネルのうち使用可能な無線チャネルがあるか判断する。通知された要求無線チャネルが使用可能である場合、無線チャネル割当部１４は、当該要求無線チャネルを割り当てる。なお、通知された複数の要求無線チャネルが使用可能である場合、無線チャネル割当部１４は、最も高速な通信が可能な無線チャネルを割り当てるようにしてもよい。他方、何れの要求無線チャネルも使用可能でない場合、無線チャネル割当部１４は、使用可能無線チャネルテーブル１５の使用可能無線チャネルのうち最も高速な通信が可能な無線チャネルを割り当てる。
【００３４】
また、要求無線チャネルの割当てが不可であった場合、上述したように、無線チャネル割当部１４は、要求されたデータの送信が所定の通信時間内に完了しない可能性があることをユーザに通知し、ユーザが通信を継続するか否かユーザに問い合わせるようにしてもよい。ユーザの通信継続するか否かの回答に応じて、無線チャネル割当部１４は、通信を継続するか否か判断してもよい。
【００３５】
その後、移動機装置１０は、割り当てた無線チャネルを使用して、ユーザにより要求されたデータを送信する。
【００３６】
次に、図５を参照して、一実施例による移動機装置１０のデータ受信処理が説明される。図５は、一実施例によるデータ受信処理を示すシーケンス図である。
【００３７】
Ｓ２１において、移動機装置１０のユーザからユーザインタフェース（図示せず）を介し何れかのアプリケーションを使用してデータを受信するよう指示されると、当該データ受信処理が開始される。
【００３８】
Ｓ２２において、データサイズ決定部１１は、移動機装置１０が在圏する基地局などのネットワーク装置から当該データのデータサイズを取得する。データサイズ決定部１１は、無線チャネル選択部１２に取得したデータサイズを通知する。
【００３９】
Ｓ２３において、データサイズ決定部１１から受信対象のデータのデータサイズを通知されると、無線チャネル選択部１２は、移動機装置１０の記憶部（図示せず）に格納されている要求無線チャネル選択テーブル１３を参照する。
【００４０】
Ｓ２４において、無線チャネル選択部１２は、要求無線チャネル選択テーブル１３を参照して、通知されたデータサイズに関連付けされている要求無線チャネルを決定し、決定した要求無線チャネルを無線チャネル割当部１４に通知する。
【００４１】
Ｓ２５において、無線チャネル選択部１２から要求無線チャネルを通知されると、無線チャネル割当部１４は、移動機装置１０の記憶部（図示せず）に格納されている使用可能無線チャネルテーブル１５を参照する。
【００４２】
Ｓ２６において、無線チャネル割当部１４は、上述したように、使用可能無線チャネルテーブル１５を参照して、通知された要求無線チャネルに対応する無線チャネルを決定及び割り当てる。具体的には、無線チャネル割当部１４は、使用可能無線チャネルテーブル１５を参照して、通知された要求無線チャネルのうち使用可能なチャネルがあるか判断する。通知された要求無線チャネルが使用可能である場合、無線チャネル割当部１４は、当該要求無線チャネルを割り当てる。なお、複数の要求無線チャネルが使用可能である場合、無線チャネル割当部１４は、最も高速な通信が可能な無線チャネルを割り当てるようにしてもよい。他方、何れの要求無線チャネルも使用可能でない場合、無線チャネル割当部１４は、使用可能無線チャネルテーブル１５の使用可能無線チャネルのうち最も高速な通信が可能な無線チャネルを割り当てる。
【００４３】
また、要求無線チャネルの割当てが不可であった場合、上述したように、無線チャネル割当部１４は、要求されたデータの受信が所定の通信時間内に完了しない可能性があることをユーザに通知し、ユーザが通信を継続するか否かユーザに問い合わせるようにしてもよい。ユーザの通信継続するか否かの回答に応じて、無線チャネル割当部１４は、通信を継続するか否か判断してもよい。
【００４４】
その後、移動機装置１０は、割り当てた無線チャネルを使用して、ユーザにより要求されたデータを受信する。
【００４５】
次に、図６を参照して、一実施例による通信終了処理が説明される。図６は、一実施例による通信終了処理を示すシーケンス図である。
【００４６】
Ｓ３１において、移動機装置１０のユーザからユーザインタフェース（図示せず）を介し通信を終了するよう指示されると、当該通信終了処理が開始される。
【００４７】
Ｓ３２において、データサイズ決定部１１は、データサイズを"０"と決定し、無線チャネル選択部１２に決定したデータサイズ"０"を通知する。
【００４８】
Ｓ３３において、データサイズ決定部１１からデータサイズ"０"を通知されると、無線チャネル選択部１２は、移動機装置１０の記憶部（図示せず）に格納されている要求無線チャネル選択テーブル１３を参照する。
【００４９】
Ｓ３４において、無線チャネル選択部１２は、無線チャネル選択テーブル１３を参照して、通知されたデータサイズ"０"に関連付けされている要求無線チャネルが"無"であると決定し、決定した要求無線チャネルがないことを無線チャネル割当部１４に通知する。
【００５０】
Ｓ３５において、無線チャネル選択部１２から要求無線チャネルがないことを通知されると、無線チャネル割当部１４は、現在割り当てられている無線チャネルを解放し、当該通信が終了される。
【００５１】
次に、図７を参照して、一実施例による通信開始時の無線チャネル割当処理が説明される。図７は、一実施例による無線チャネル割当処理を示すフロー図である。
【００５２】
移動機装置１０のユーザからユーザインタフェース（図示せず）を介しデータ送受信処理要求を受け付けると、当該無線チャネル割当処理が開始される。
【００５３】
Ｓ５１において、データサイズ決定部１１は、通信対象のデータのデータサイズを決定する。
【００５４】
Ｓ５２において、無線チャネル選択部１２は、要求無線チャネル選択テーブル１３を参照して、決定されたデータサイズに関連付けされる要求無線チャネルを決定する。
【００５５】
Ｓ５３において、無線チャネル割当部１４は、使用可能無線チャネルテーブル１５を参照して、決定された要求無線チャネルが使用可能であるか判断する。
【００５６】
決定された要求無線チャネルが使用可能である場合（Ｓ５３：Ｙ）、Ｓ５４において、無線チャネル割当部１４は、使用可能な要求無線チャネルのうち最も高速に通信可能な無線チャネルを割り当てる。他方、決定された要求無線チャネルの何れも使用可能でない場合（Ｓ５３：Ｎ）、Ｓ５５において、無線チャネル割当部１４は、使用可能無線チャネルテーブル１５に示される使用可能な無線チャネルのうち最も高速に通信可能な無線チャネルを割り当てる。
【００５７】
Ｓ５６において、無線チャネル割当部１４は、ユーザインタフェースを介しユーザに当該データ送受信処理が所定の通信時間内に完了しないことを通知する。なお、当該通知と共に、無線チャネル割当部１４は、予想される通信時間をユーザに通知するようにしてもよい。
【００５８】
Ｓ５７において、当該データ送受信処理が所定の通信時間内に完了しないことを通知されると、ユーザは割り当てられた無線チャネルを使用して、通信を継続するか否かユーザインタフェースを介し移動機装置１０に指示する。
【００５９】
通信を継続する指示を受け付けると（Ｓ５７：Ｙ）、Ｓ５８において、移動機装置１０は、割り当てられた無線チャネルにより当該通信を継続する。他方、通信を終了する指示を受け付けると（Ｓ５７：Ｎ）、Ｓ５９において、移動機装置１０は、無線チャネル割当部１４に無線チャネルを解放するよう指示し、通信を終了する。
【００６０】
次に、図８を参照して、一実施例による通信中の無線チャネル動的変更処理が説明される。図８は、一実施例による無線チャネルの動的変更処理を示すフロー図である。
【００６１】
移動機装置１０において上述した無線チャネル割当処理により無線チャネルが割り当てられると、当該無線チャネル動的変更処理が開始される。
【００６２】
Ｓ６１において、使用可能無線チャネルテーブル１５を定期的に参照する無線チャネル割当部１４が、使用可能無線チャネルテーブル１５の変更を検出する。
【００６３】
Ｓ６２において、無線チャネル割当部１４は、現在割り当てられている無線チャネルが変更後の使用可能無線チャネルテーブル１５において使用可能であるか判断する。
【００６４】
現在割り当てられている無線チャネルが変更後も使用可能である場合（Ｓ６２：Ｙ）、無線チャネル割当部１４は現在割り当てられている無線チャネルを維持し、当該通信を継続する。他の実施例では、より高速な通信が可能な無線チャネルが使用可能になった場合、無線チャネル割当部１４は、当該無線チャネルに切り替えてもよい。
【００６５】
他方、現在割り当てられている無線チャネルが変更後は使用不可となった場合（Ｓ６２：Ｎ）、無線チャネル割当部１４は、以降において再び図７に示された無線チャネル割当処理を実行する。すなわち、Ｓ６４において、無線チャネル割当部１４は、変更後の使用可能無線チャネルテーブル１５を参照して、無線チャネル選択部１２により当初通知された要求無線チャネルが使用可能であるか判断する。
【００６６】
当初の要求無線チャネルが使用可能である場合（Ｓ６４：Ｙ）、Ｓ６５において、無線チャネル割当部１４は、当該使用可能な要求無線チャネルのうち最も高速に通信可能な無線チャネルを割り当てる。他方、当初の要求無線チャネルが使用可能でない場合（Ｓ６４：Ｎ）、Ｓ６６において、無線チャネル割当部１４は、変更後の使用可能な無線チャネルのうち最も高速に通信可能な無線チャネルを割り当てる。
【００６７】
Ｓ６７において、無線チャネル割当部１４は、ユーザインタフェースを介しユーザに当該データ送受信処理が所定の通信時間内に完了しないことを通知する。なお、当該通知と共に、無線チャネル割当部１４は、予想される通信時間をユーザに通知するようにしてもよい。
【００６８】
Ｓ６８において、当該データ送受信処理が所定の通信時間内に完了しないことを通知されると、ユーザは新たに割り当てられた無線チャネルを使用して、通信を継続するか否かユーザインタフェースを介し移動機装置１０に指示する。
【００６９】
通信を継続する指示を受け付けると（Ｓ６８：Ｙ）、Ｓ６９において、移動機装置１０は、新たに割り当てられた無線チャネルにより当該通信を継続する。他方、通信を終了する指示を受け付けると（Ｓ６８：Ｎ）、Ｓ７０において、移動機装置１０は、無線チャネル割当部１４に無線チャネルを解放するよう指示し、通信を終了する。
【００７０】
移動機装置１０の上述した各構成要素は、ハードウェア、ソフトウェア又はこれらの組み合わせの何れかにより実現可能である。また、上述した実施例では、移動機装置１０は、データサイズ決定部１１、無線チャネル選択部１２、要求無線チャネル選択テーブル１３、無線チャネル割当部１４及び使用可能無線チャネルテーブル１５を有していたが、他の実施例では、無線チャネル割当部１４及び使用可能無線チャネルテーブル１５は、基地局などのネットワーク装置に設けられてもよい。すなわち、当該実施例では、移動機装置１０が、データサイズの決定と要求無線チャネルの選択とを実行し、ネットワーク装置が、無線チャネルの割当てを実行する。さらなる他の実施例では、移動機装置１０はデータサイズ決定部１１のみを有し、ネットワーク装置が、無線チャネル選択部１２、要求無線チャネル選択テーブル１３、無線チャネル割当部１４及び使用可能無線チャネルテーブル１５を有してもよい。すなわち、当該実施例では、移動機装置１０が、データサイズを決定し、ネットワーク装置が、要求無線チャネルの選択と無線チャネルの割当てとを実行する。
【００７１】
上述された各実施例によると、ユーザがアプリケーションを使用する際に、送信あるいは受信を行うデータサイズに応じた無線チャネルを選択するため、大容量のデータを通信する必要のあるアプリケーションを使用する場合には、通信容量の大きい無線チャネルを選択することで、アプリケーションをスムーズに動かすことが可能となり、一方、容量の小さいデータの通信を行うアプリケーションを使用する場合には、通信速度が低速の無線チャネルを選択することで、無線リソースが無駄に使用されることを回避可能となる。
【００７２】
また、データの送信あるいは受信の開始と共に、データサイズに応じた無線チャネルを即時に選択し、データの送信あるいは受信の終了と共に、無線チャネルの開放を行うため、通信時間の短縮につながる。
【００７３】
以上、本発明の実施例について詳述したが、本発明は斯かる特定の実施形態に限定されるものではなく、特許請求の範囲に記載された本発明の要旨の範囲内において、種々の変形・変更が可能である。
【符号の説明】
【００７４】
１０  移動機装置
１１  データサイズ決定部
１２  無線チャネル選択部
１３  要求無線チャネル選択テーブル
１４  無線チャネル割当部
１５  使用可能無線チャネルテーブル
【図１】
2010273300.tif 000003
【図２】
2010273300.tif 000004
【図３】
2010273300.tif 000005
【図４】
2010273300.tif 000006
【図５】
2010273300.tif 000007
【図６】
2010273300.tif 000008
【図７】
2010273300.tif 000009
【図８】
2010273300.tif 000010